(57)【要約】      （修正有）【課題】ボルトを使用することなく、迅速に組み立て定位し、テーブルランプ及び緊急照明灯とすることができ、更に着脱に便利であり懐中電灯として使用することもできる照明ランプを提供する。【解決手段】本照明ランプは、ランプ支持ソケット１及び照明装置２から構成され、照明装置は、殻体２１内に、電源コネクタに電気接続する制御器と、光源２４と、充電電池と、スイッチモジュールとを設置し、ランプ支持ソケット及び照明装置の間に雄コネクタ４及び相対する雌コネクタ３を設置し、雄コネクタにより雌コネクタに突き合わせ結合し、照明装置をランプ支持ソケットに定位し、テーブルランプとし、停電時に緊急照明灯とし、雄コネクタ及び雌コネクタが互いに迅速に着脱できるようにし、照明装置を単独で携帯使用し、懐中電灯とし、照明装置に一般照明、緊急照明及び懐中電灯の機能を持たせる。【選択図】図１
0003175562.tif 000002
【実用新案登録請求の範囲】
【請求項１】
ランプ支持ソケット及び照明装置から構成され、該照明装置は、殻体内に、電源コネクタに電気接続する制御器と、光源と、充電電池と、スイッチモジュールと、を設置し、該ランプ支持ソケット及び照明装置の間に雄コネクタ及び相対する雌コネクタを設置し、雄コネクタにより雌コネクタに突き合わせ結合し、照明装置をランプ支持ソケットに定位させ、雄コネクタ及び雌コネクタが互いに着脱できるようにし、照明装置を単独で携帯使用させる緊急照明機能を有する照明ランプ。
【請求項２】
前記雄コネクタは、径方向ラッチ接続溝を有する接続ロッドを設け、該雌コネクタは、ラッチ接続口及びその側壁を有する接続板を設け、接続ロッドのラッチ接続溝を接続板のラッチ接続口及びその側壁に定位させる請求項１に記載の緊急照明機能を有する照明ランプ。
【請求項３】
前記雄コネクタは、挿入接続ロッドを設け、該雌コネクタは、包接孔を設け、挿入接続ロッドを雌コネクタの包接孔に挿入定位させる請求項１に記載の緊急照明機能を有する照明ランプ。
【請求項４】
前記ランプ支持ソケットの一端に雌コネクタを設け、該照明装置の相対端に雄コネクタを設置する請求項２又は請求項３に記載の緊急照明機能を有する照明ランプ。
【請求項５】
前記ランプ支持ソケットの一端に雄コネクタを設け、該照明装置の相対端に雌コネクタを設置する請求項２又は請求項３に記載の緊急照明機能を有する照明ランプ。
【考案の詳細な説明】
【技術分野】
【０００１】
本考案は、緊急照明機能を有する照明ランプに関し、特に、一般照明、緊急照明及び懐中電灯機能を兼ね備える照明ランプに関する。
【背景技術】
【０００２】
現在、一般の家庭中又は公衆の室内において、何れも様々なランプ照明設備を見ることができ、夜に明かりを放つが、ランプの種類が多く、例えば、蛍光灯、プロジェクターランプ、アートランプ、テーブルランプ等がある。そのうち、テーブルランプについては、一般の照明ランプの灯光が比較的弱いか、ブロックされる位置、隅を補強する為、室内の灯光が比較的弱い位置に充足した灯光照明をもたせることができる。
【０００３】
但し、一般照明ランプ及びテーブルランプは、正常な供給電源と組み合わせて使用しなければならず、正常でない断電又は瞬電に遭遇する時、使用することができなくなる。断電又は瞬電時に光源が無くなる問題を解決する為、別途緊急照明灯を設置する必要があり、それは、平常に電源ケーブルを利用し、電源を受け、バッテリに充電を行い、断電又は瞬電に遭遇する時、バッテリが電灯に自動電源供給し、緊急照明として使用する。但し、緊急照明灯は、緊急照明の用途とすることのみであり、平常時の正常に電源供給されている状態において、照明効果を有さず、一般の照明ランプは、また緊急照明の効果を有さないので、人々の住居又はオフィスなどの場所は、何れも緊急照明灯及び一般照明ランプを同時に設置しなければならず、生活環境において、多くのランプを要し、環境的美観に適さず、使用コストを増加する。
【０００４】
そこで、上記従来技術の不足及び欠陥を如何に解決するかは、本業界に従事する関連業者が改善を欲する課題となっている。
【先行技術文献】
【特許文献】
【０００５】
【特許文献１】特開２０１０−１７７１４４号公報
【考案の概要】
【考案が解決しようとする課題】
【０００６】
本考案の目的及び使用効果は、照明ランプは、一般照明、緊急照明及び懐中電灯の効果を兼ね備え、照明装置を、ボルトを使用することなく、迅速に組み立て定位し、テーブルランプ及び緊急照明灯とすることができ、更に着脱に便利であり懐中電灯として使用することもできるようにすることである。
【課題を解決するための手段】
【０００７】
上記の目的を達成する為、本考案の照明ランプは、ランプ支持ソケット及び照明装置から構成され、該照明装置は、殻体内に、電源コネクタに電気接続する制御器と、光源と、充電電池と、スイッチモジュールと、を設置し、該ランプ支持ソケット及び照明装置の間に雄コネクタ及び相対する雌コネクタを設置し、雄コネクタにより雌コネクタに突き合わせ結合し、照明装置をランプ支持ソケットに定位させ、雄コネクタ及び雌コネクタが互いに着脱できるようにし、照明装置を単独で携帯使用させる。
【０００８】
好適実施例において、該雄コネクタは、径方向ラッチ接続溝を有する接続ロッドを設け、該雌コネクタは、ラッチ接続口及びその側壁を有する接続板を設け、接続ロッドのラッチ接続溝を接続板のラッチ接続口及びその側壁に定位させる。
【０００９】
好適実施例において、該雄コネクタは、挿入接続ロッドを設け、該雌コネクタは、包接孔を設け、挿入接続ロッドを雌コネクタの包接孔に挿入定位させる。
【００１０】
更に、該ランプ支持ソケットの一端に雌コネクタ（又は雄コネクタ）を設け、該照明装置の相対端に雄コネクタ（又は雌コネクタ）を設置する。
【考案の効果】
【００１１】
本考案の照明ランプは、ランプ支持ソケット及び照明装置から構成され、照明装置は、殻体内に、電源コネクタに電気接続する制御器と、光源と、充電電池と、スイッチモジュールと、を設置し、ランプ支持ソケット及び照明装置の間に雄コネクタ及び相対する雌コネクタを設置し、雄コネクタにより雌コネクタに突き合わせ結合し、照明装置をランプ支持ソケットに定位し、テーブルランプとし、停電時に緊急照明灯とし、雄コネクタ及び雌コネクタが互いに迅速に着脱できるようにし、照明装置を単独で携帯使用し、懐中電灯とし、照明装置に一般照明、緊急照明及び懐中電灯の機能を持たせる。
【図面の簡単な説明】
【００１２】
【図１】本考案の好適実施例の照明ランプの立体図である。
【図２】図１の照明ランプの俯瞰図である。
【図３】図１の照明ランプの立体分解図である。
【図４】図３の照明装置底側の立体図である。
【図５】図３の照明ランプが具える主要構成部材の拡大図である。
【図６】図３の照明装置及びランプ支持ソケットの分離状態の説明図である。
【図７】図３の照明装置及びランプ支持ソケットの組み合わせ状態の説明図である。
【図８】本考案の好適実施例の照明ランプのブロック図である。
【図９】本考案の好適実施例の照明ランプの他の型式のブロック図である。
【図１０】本考案のもう１つの好適実施例の照明ランプの立体分解図である。
【図１１】図１０の照明装置及びランプ支持ソケットの組み合わせ状態の説明図である。
【図１２】本考案の更にもう１つの好適実施例の照明ランプの立体分解図である。
【図１３】本考案のまた更にもう１つの好適実施例の照明ランプの立体分解図である。
【考案を実施するための形態】
【００１３】
本考案が上記目的を達成する為に採用する技術手段及びその効果に関し、実施例を挙げ、図面に合わせて以下に説明する。
【００１４】
先ず、図１、図２、図３を参照し、本考案の照明ランプは、一般照明、緊急照明及び懐中電灯等の効果を兼ね備え、図１及び図２に示すように、照明ランプは、ランプ支持ソケット１及び照明装置２から構成され、一般照明用のテーブルランプとし、停電時緊急照明灯とすることができ、図３、図４に示す分離状態において、照明装置２は、懐中電灯及び可携帯式緊急照明灯とすることができる。
【００１５】
図１〜図５に示すような好適実施例において、本考案は、照明ランプのランプ支持ソケット１は、適当な形状のソケット板１１及びその支持板１２を設けることができ、支持板１２の一端に雌ソケット３を設置することができる。照明装置２は、殻体２１内に、電源コネクタ２３に電気接続する制御器２２と、光源２４と、充電電池２５と、スイッチモジュール２６と、その機能インジケータ２９と、を設置し、電源コネクタ２３は、外部直流電源７の電源ケーブル７１の相対端のプラグ７２に接続することができ、光源２４は、ＬＥＤ灯又はランプ管を採用し、導光ロッド又はグローブを介して、外に向けて発光照明することができる。このほか、照明装置２は、図９に示すような交流電源８を使用することもできるが、降圧モジュール27及び整流モジュール２８に電気接続する必要がある。
【００１６】
本考案の照明装置２の一端は、雄コネクタ４に固定設置され、ランプ支持ソケット１の相対雌コネクタ３に互いに対応する。図３、図５、図６に示すに、雄コネクタ４は、径方向にラッチ接続溝４２を有する接続ロッド４１を設け、ストラップ４３を接続することができ、雌コネクタ３は、ラッチ接続口３１及びその側壁３３を有する接続板３２を設け、雄コネクタ４が雌コネクタ３に突き合わせ結合することにより、接続ロッド４１のラッチ接続溝４２は、スロット３４を経由し、上から下へ接続板３２のラッチ接続口３１及び側壁３３をラッチ定位し、図１、図２及び図７に示すように、照明装置２をランプ支持ソケット１上に確実に定位させ、一般照明用テーブルランプの使用状態とし、緊急照明機能を兼ね備える。
【００１７】
使用者が照明装置２を単独使用する時、図３、図５、図６、図８に示すように、先に外部直有電源７を外し、雄コネクタ４及び雌コネクタ３を互いに上下に分離した後、照明装置２及びその充電電池２５の電力を単独携帯使用し、懐中電灯及び携帯式緊急照明灯とすることができる。
【００１８】
図１０及び図１１に示す他の好適実施例において、照明ランプは、ランプ支持ソケット１一端に雄コネクタ401及びその接続ロッド４１１とラッチ接続溝４２１を設置し、照明装置２の相対端には、相対する雌コネクタ３０１及びそのラッチ接続口３１１を設置する。
【００１９】
図１２に示すもう１つの好適実施例を参照し、照明ランプは、照明装置２の雄コネクタ６を挿入接続ロッド６１として設け、ランプ支持ソケット１の雌コネクタ５は、包接孔５１を設け、挿入接続ロッド６１を弾力定位部材６２に合わせ雌コネクタ５の包接孔５１内に挿入定位させる。図１３に示す更にもう１つの好適実施例において、照明ランプは、ランプ支持ソケット１の一端に雄コネクタ６０１及びその挿入接続ロッド６１１を設置し、照明装置２の相対端に雌コネクタ５０１及びその包接孔５１１を設置し、互いに活動的に挿入定位するように変更する。
【符号の説明】
【００２０】
１  ランプ支持ソケット
１１  ソケット板
１２  支持板
２  照明装置
２１  殻体
２２  制御器
２３  電源コネクタ
２４  光源
２５  充電電池
２６  スイッチモジュール
２７  降圧モジュール
２８  整流モジュール
２９  機能インジケータ
３  雌コネクタ
３０１  雌コネクタ
３１  ラッチ接続口
３１１  ラッチ接続口
３２  接続板
３３  側壁
３４  スロット
４  雄コネクタ
４０１  雄コネクタ
４１  接続ロッド
４１１  接続ロッド
４２  ラッチ接続溝
４２１  ラッチ接続溝
４３  ストラップ
５  雌コネクタ
５０１  雌コネクタ
５１  包接孔
５１１  包接孔
６  雄コネクタ
６０１  雄コネクタ
６２  弾力定位部材
７  直流電源
７１  電源ケーブル
７２  プラグ
８  交流電源
【図１】
0003175562.tif 000003
【図２】
0003175562.tif 000004
【図３】
0003175562.tif 000005
【図４】
0003175562.tif 000006
【図５】
0003175562.tif 000007
【図６】
0003175562.tif 000008
【図７】
0003175562.tif 000009
【図８】
0003175562.tif 000010
【図９】
0003175562.tif 000011
【図１０】
0003175562.tif 000012
【図１１】
0003175562.tif 000013
【図１２】
0003175562.tif 000014
【図１３】
0003175562.tif 000015